(57)【要約】      （修正有）【課題】広告媒体によって表示されている情報に関連する各種関連データをユーザに簡単に且つセキュアに提供することのできるデータ提供方法ならびにデータ提供システムおよびデータ提供代行サーバを提供する。【解決手段】広告媒体１に付加された媒体側ＩＤリーダ２にてユーザの携帯デバイス３のグローバルＩＤを読み取り、データ提供代行サーバ６によりグローバルＩＤに対応するユーザＩＤをデータ提供サーバ７へ送信し、データ提供サーバによりユーザＩＤを関連データとともにデータ提供代行サーバへネットワーク返信し、データ提供代行サーバにより関連データをグローバルＩＤ毎に記憶し、ユーザ側ＩＤリーダ４により携帯デバイス３のグローバルＩＤを読み取り、情報端末５によりグローバルＩＤをデータ提供代行サーバへ送信し、データ提供代行サーバにより情報端末５から送信されてきたグローバルＩＤに対応する関連データを情報端末へ返信する。【選択図】  図１
2005114938.tif 000002
【特許請求の範囲】
【請求項１】
広告媒体によって表示されている情報に関連するデータ提供者からの関連データをデータ提供代行者を通してユーザに提供するデータ提供方法であって、
広告媒体に付加された媒体側ＩＤリーダ、ユーザが携帯する携帯デバイス、ユーザ用のユーザ側ＩＤリーダ、ユーザ用の情報端末、データ提供代行者用のデータ提供代行サーバ、およびデータ提供者用のデータ提供サーバを用い、
前記媒体側ＩＤリーダにより、前記携帯デバイス固有のグローバルＩＤを読み取り、
前記データ提供代行サーバにより、前記媒体側ＩＤリーダにより読み取られたグローバルＩＤに対応するユーザＩＤを前記データ提供サーバへネットワークを介して送信し、
前記データ提供サーバにより、前記データ提供代行サーバから送信されてきたユーザＩＤを関連データとともに前記データ提供代行サーバへネットワークを介して返信し、
前記データ提供代行サーバにより、前記データ提供サーバから返信されてきた関連データをグローバルＩＤ毎に記憶し、
前記ユーザ側ＩＤリーダにより、前記携帯デバイス固有のグローバルＩＤを読み取り、
前記情報端末により、前記ユーザ側ＩＤリーダにより読み取られたグローバルＩＤを前記データ提供代行サーバへネットワークを介して送信し、
前記データ提供代行サーバにより、前記情報端末から送信されてきたグローバルＩＤに対応する関連データを当該グローバルＩＤを送信してきた前記情報端末へネットワークを介して返信する、
ことを特徴とするデータ提供方法。
【請求項２】
グローバルＩＤ毎にユーザＩＤを予め記憶し、且つ関連データを適宜記憶するユーザプロファイルデータベースをさらに用い、
前記データ提供代行サーバにより、前記媒体側ＩＤリーダにより読み取られたグローバルＩＤに対応するユーザＩＤを前記ユーザプロファイルデータベースから読み出してそれを前記データ提供サーバへネットワークを介して送信し、また、前記データ提供サーバから返信されてきた関連データを前記ユーザプロファイルデータベースに記憶し、また、前記情報端末から送信されてきたグローバルＩＤに対応する関連データを前記ユーザプロファイルデータベースから読み出してそれを前記情報端末へ返信する、
ことを特徴とする請求項１記載のデータ提供方法。
【請求項３】
前記データ提供代行サーバにより、グローバルＩＤを読み取った媒体側ＩＤリーダ固有のリーダＩＤを前記ユーザＩＤとともに前記データ提供サーバへ送信し、
前記データ提供サーバにより、前記データ提供代行サーバから送信されてきたリーダＩＤに対応する関連データをユーザＩＤとともに前記データ提供代行サーバへ返信する、
ことを特徴とする請求項１記載のデータ提供方法。
【請求項４】
前記データ提供サーバにより、前記データ提供代行サーバから送信されてきたユーザＩＤを記憶し、
前記提供代行サーバにより、グローバルＩＤを送信してきた前記情報端末のネットワーク上の宛先情報をグローバルＩＤ毎に記憶し、
前記データ提供サーバにより、ユーザＩＤと関連データとを前記データ提供代行サーバへネットワークを介して別途送信し、
前記データ提供代行サーバにより、前記データ提供サーバから送信されてきたユーザＩＤに対応するグローバルＩＤの前記情報端末の宛先情報に基づいて、前記データ提供サーバから送信されてきた関連データを前記情報端末へ送信する、
ことを特徴とする請求項１記載のデータ提供方法。
【請求項５】
広告媒体によって表示されている情報に関連するデータ提供者からの関連データをデータ提供代行者を通してユーザに提供するデータ提供システムであって、
広告媒体に付加された媒体側ＩＤリーダ、ユーザが携帯する携帯デバイス、ユーザ用のユーザ側ＩＤリーダ、ユーザ用の情報端末、データ提供代行者用のデータ提供代行サーバおよびデータ提供者用のデータ提供サーバを備え、
前記携帯デバイスは、デバイス固有のグローバルＩＤを記憶する手段を有し、
前記媒体側ＩＤリーダは、前記携帯デバイスのグローバルＩＤを読み取る手段を有し、
前記データ提供代行サーバは、前記媒体側ＩＤリーダにより読み取られたグローバルＩＤに対応するユーザＩＤを前記データ提供サーバへネットワークを介して送信する手段と、前記データ提供サーバからネットワークを介して返信されてきた関連データをグローバルＩＤ毎に記憶する手段と、前記情報端末からネットワークを介して別途グローバルＩＤが送信されてきた際にそのグローバルＩＤに対応する関連データを当該グローバルＩＤを送信してきた前記情報端末へネットワークを介して返信する手段とを有し、
前記データ提供サーバは、前記データ提供代行サーバから送信されてきたユーザＩＤを関連データとともに前記データ提供代行サーバへネットワークを介して返信する手段を有し、
前記ユーザ側ＩＤリーダは、前記携帯デバイスのグローバルＩＤを読み取る手段を有し、
前記情報端末は、前記ユーザ側ＩＤリーダにより読み取られたグローバルＩＤを前記データ提供代行サーバへネットワークを介して送信する手段を有している、
ことを特徴とするデータ提供システム。
【請求項６】
広告媒体によって表示されている情報に関連するデータ提供サーバからの関連データをユーザの情報端末に提供するデータ提供代行サーバであって、
広告媒体に付加された媒体側ＩＤリーダによって読み取られたユーザが携帯する携帯デバイス固有のグローバルＩＤに対応するユーザＩＤを前記データ提供サーバへネットワークを介して送信する手段と、
前記データ提供サーバからネットワークを介して返信されてきた関連データをグローバルＩＤ毎に記憶する手段と、
前記情報端末からネットワークを介してグローバルＩＤが送信されてきた際にそのグローバルＩＤに対応する関連データを当該グローバルＩＤを送信してきた前記情報端末へネットワークを介して返信する手段と、
を有していることを特徴とするデータ提供代行サーバ。
【発明の詳細な説明】
【技術分野】
【０００１】
この出願の発明は、公共空間に設置された広告媒体によって表示されている情報に関連する各種データを、ユーザに簡単に且つセキュアに提供する、データ提供方法ならびにデータ提供システムおよびデータ提供代行サーバに関するものである。
【背景技術】
【０００２】
近年、たとえば、建物内や乗物内、市街地等に設置された広告（告知を含む。以下同じ）を表示するポスター、掲示板、大型ディスプレイ等の広告媒体には、広告情報や広告主に関連するホームページのＵＲＬ（Universal
Resource Locator）が表示されることが多くなってきており、それを見た者はそのホームページにアクセスすることで、より詳細なコンテンツやサービスプログラムなどを入手することができる。
【０００３】
しかしながら、ホームページにアクセスするには当然ＵＲＬをメモしたりする必要があるため、殆どの人にとっては面倒な作業であった。
【０００４】
そこで、ＵＲＬを記憶したＲＦ−ＩＤ（Radio Frequency-Identification）タグを広告媒体に付加し、ユーザが持つ携帯デバイスにはＲＦ−ＩＤリーダを設けることで、タグとリーダとの無線送受信によって自動的にＵＲＬを取得できるようにしたシステムが既に提案されている（特許文献１参照）。
【特許文献１】特開２００２−３２４０２１号公報
【発明の開示】
【発明が解決しようとする課題】
【０００５】
しかしながら、上記特許文献１に記載のシステムでは、ユーザがＵＲＬを基に直接ホームページにアクセスするので、ユーザの個人情報がアクセスした様々なホームページを介して広告主等のデータ提供者に知られてしまうため、個人情報の大量流出が懸念される。ユーザからすると自分の個人情報が無秩序に流出するのは極力避けたいので、詳細コンテンツやサービスプログラム等の各種関連データを簡単に入手できるだけでなく、個人情報の保護も強化された、安心して利用できる技術の実現が望まれる。
【０００６】
そこで、以上のとおりの事情に鑑み、この出願の発明は、広告媒体によって表示されている情報に関連する各種関連データをユーザに簡単に且つセキュアに提供することのできるデータ提供方法ならびにデータ提供システムおよびデータ提供代行サーバを提供することを課題としている。
【課題を解決するための手段】
【０００７】
この出願の発明は、上記の課題を解決するものとして、第１には、たとえば図１に例示したような、広告媒体（１）によって表示されている情報に関連するデータ提供者からの関連データをデータ提供代行者を通してユーザに提供するデータ提供方法であって、広告媒体（１）に付加された媒体側ＩＤリーダ（２）、ユーザが携帯する携帯デバイス（３）、ユーザ用のユーザ側ＩＤリーダ（４）、ユーザ用の情報端末（５）、データ提供代行者用のデータ提供代行サーバ（６）、およびデータ提供者用のデータ提供サーバ（７）を用い、前記媒体側ＩＤリーダ（２）により、前記携帯デバイス（３）固有のグローバルＩＤを読み取り（ステップＳ１０１）、前記データ提供代行サーバ（６）により、前記媒体側ＩＤリーダ（２）により読み取られたグローバルＩＤに対応するユーザＩＤを前記データ提供サーバ（７）へネットワークを介して送信し（ステップＳ１０２）、前記データ提供サーバ（７）により、前記データ提供代行サーバ（６）から送信されてきたユーザＩＤを関連データとともに前記データ提供代行サーバ（６）へネットワークを介して返信し（ステップＳ１０３）、前記データ提供代行サーバ（６）により、前記データ提供サーバ（７）から返信されてきた関連データをグローバルＩＤ毎に記憶し（ステップＳ１０４）、前記ユーザ側ＩＤリーダ（４）により、前記携帯デバイス（３）固有のグローバルＩＤを読み取り（ステップＳ１０５）、前記情報端末（５）により、前記ユーザ側ＩＤリーダ（４）により読み取られたグローバルＩＤを前記データ提供代行サーバ（６）へネットワークを介して送信し（ステップＳ１０６）、前記データ提供代行サーバ（６）により、前記情報端末（５）から送信されてきたグローバルＩＤに対応する関連データを当該グローバルＩＤを送信してきた前記情報端末（５）へネットワークを介して返信する（ステップＳ１０７）、ことを特徴とするデータ提供方法を提供する。
【０００８】
第２には、グローバルＩＤ毎にユーザＩＤを予め記憶し、且つ関連データを適宜記憶するユーザプロファイルデータベース（８）をさらに用い、前記データ提供代行サーバ（６）により、前記媒体側ＩＤリーダ（２）により読み取られたグローバルＩＤに対応するユーザＩＤを前記ユーザプロファイルデータベース（８）から読み出してそれを前記データ提供サーバ（７）へネットワークを介して送信し（ステップＳ１０２）、また、前記データ提供サーバ（７）から返信されてきた関連データを前記ユーザプロファイルデータベース（８）に記憶し（Ｓ１０３）、また、前記情報端末（５）から送信されてきたグローバルＩＤに対応する関連データを前記ユーザプロファイルデータベース（８）から読み出してそれを前記情報端末（５）へ返信する（Ｓ１０７）、ことを特徴とする前記データ提供方法を提供する。
【０００９】
第３には、前記データ提供代行サーバ（６）により、グローバルＩＤを読み取った媒体側ＩＤリーダ（２）固有のリーダＩＤを前記ユーザＩＤとともに前記データ提供サーバ（７）へ送信し（Ｓ１０２）、前記データ提供サーバ（７）により、前記データ提供代行サーバ（６）から送信されてきたリーダＩＤに対応する関連データをユーザＩＤとともに前記データ提供代行サーバ（６）へ返信する（Ｓ１０２）、ことを特徴とする前記データ提供方法を提供する。
【００１０】
第４には、たとえば図２に例示したような、前記データ提供サーバ（７）により、前記データ提供代行サーバ（６）から送信されてきたユーザＩＤを記憶し（ステップＳ２０１）、前記提供代行サーバ（７）により、グローバルＩＤを送信してきた前記情報端末（５）のネットワーク上の宛先情報をグローバルＩＤ毎に記憶し（ステップＳ２０２）、前記データ提供サーバ（７）により、ユーザＩＤと関連データとを前記データ提供代行サーバ（６）へネットワークを介して別途送信し（ステップＳ２０３）、前記データ提供代行サーバ（６）により、前記データ提供サーバ（７）から送信されてきたユーザＩＤに対応するグローバルＩＤの前記情報端末（５）の宛先情報に基づいて、前記データ提供サーバ（６）から送信されてきた関連データを前記情報端末（５）へ送信する（ステップＳ２０４）、ことを特徴とする前記データ提供方法を提供する。
【００１１】
第５には、広告媒体（１）によって表示されている情報に関連するデータ提供者からの関連データをデータ提供代行者を通してユーザに提供するデータ提供システムであって、広告媒体（１）に付加された媒体側ＩＤリーダ（２）、ユーザが携帯する携帯デバイス（３）、ユーザ用のユーザ側ＩＤリーダ（４）、ユーザ用の情報端末（５）、データ提供代行者用のデータ提供代行サーバ（６）およびデータ提供者用のデータ提供サーバ（７）を備え、前記携帯デバイス（３）は、デバイス固有のグローバルＩＤを記憶する手段を有し、前記媒体側ＩＤリーダ（２）は、前記携帯デバイス（３）のグローバルＩＤを読み取る手段を有し、前記データ提供代行サーバ（６）は、前記媒体側ＩＤリーダ（２）により読み取られたグローバルＩＤに対応するユーザＩＤを前記データ提供サーバ（７）へネットワークを介して送信する手段と、前記データ提供サーバ（７）からネットワークを介して返信されてきた関連データをグローバルＩＤ毎に記憶する手段と、前記情報端末（５）からネットワークを介して別途グローバルＩＤが送信されてきた際にそのグローバルＩＤに対応する関連データを当該グローバルＩＤを送信してきた前記情報端末（５）へネットワークを介して返信する手段とを有し、前記データ提供サーバ（７）は、前記データ提供代行サーバ（６）から送信されてきたユーザＩＤを関連データとともに前記データ提供代行サーバ（６）へネットワークを介して返信する手段を有し、前記ユーザ側ＩＤリーダ（４）は、前記携帯デバイス（３）のグローバルＩＤを読み取る手段を有し、前記情報端末（５）は、前記ユーザ側ＩＤリーダ（４）により読み取られたグローバルＩＤを前記データ提供代行サーバ（６）へネットワークを介して送信する手段を有している、ことを特徴とするデータ提供システムを提供する。
【００１２】
第６には、広告媒体（１）によって表示されている情報に関連するデータ提供サーバ（７）からの関連データをユーザの情報端末（５）に提供するデータ提供代行サーバ（６）であって、広告媒体（１）に付加された媒体側ＩＤリーダ（２）によって読み取られたユーザが携帯する携帯デバイス（３）固有のグローバルＩＤに対応するユーザＩＤを前記データ提供サーバ（７）へネットワークを介して送信する手段と、前記データ提供サーバ（７）からネットワークを介して返信されてきた関連データをグローバルＩＤ毎に記憶する手段と、前記情報端末（５）からネットワークを介してグローバルＩＤが送信されてきた際にそのグローバルＩＤに対応する関連データを当該グローバルＩＤを送信してきた前記情報端末（５）へネットワークを介して返信する手段と、を有していることを特徴とするデータ提供代行サーバを提供する。
【発明の効果】
【００１３】
上記第１のデータ提供方法によれば、たとえばユーザが街中等で見つけた広告媒体（１）が表示している広告情報等に興味が沸き、もっと詳細なデータが欲しいと考えた場合、その場では、ユーザは、自分が携帯している携帯デバイス（３）のグローバルＩＤを広告媒体（１）に付加された媒体側ＩＤリーダ（２）により読み取らせるだけでよく、これにより、グローバルＩＤが媒体側ＩＤリーダ（２）からデータ提供代行者が管理運営する提供代行サーバ（６）に送られ、データ提供代行サーバ（６）側でそのグローバルＩＤに対応したユーザＩＤがさらにデータ提供者が管理運営するデータ提供サーバ（７）に送られ、対応した関連データがデータ提供代行サーバ（６）に返信されて蓄積されるという一連の処理が、ユーザが何等別途の操作等をする必要なく自動的に実行され、そして、ユーザは、後でたとえば自宅やオフィス等に帰ってきたときに、自分のユーザ側ＩＤリーダ（４）にて再び携帯デバイス（３）のグローバルＩＤを読み取らせるだけで、自分の情報端末（５）からそのグローバルＩＤがデータ提供代行サーバ（６）に送られ、データ提供代行サーバ（６）側でそのグローバルＩＤに対応した関連データが情報端末（５）に返信されるという一連の処理が、自動的に実行されることになる。これにより、データ提供サーバ（７）へはデータ提供代行サーバ（６）が各グローバルＩＤ毎に任意に設定したユーザＩＤのみが流れ、グローバルＩＤがデータ提供サーバ（７）へ流れることはなく、またユーザはデータ提供サーバ（７）へ直接アクセスすることもなくなり、常にデータ提供代行サーバ（６）のみへのアクセスで済むため、広告媒体が表示する情報に関連したデータ提供者からの各種関連データを唯一のデータ提供代行者を通してユーザに簡単に且つ高いセキュリティ度で提供できるようになる。なおもちろん、ユーザ側ＩＤリーダ（４）および情報端末（５）は携帯可能な装置とすることも可能で、この場合には携帯デバイス（３）のグローバルＩＤを媒体側ＩＤリーダ（２）に読み取らせた後、その場でユーザ側ＩＤリーダ（４）にもグローバルＩＤを読み取らせれば、自宅等に戻ることなく、その場でデータ提供代行サーバ（６）から関連データを簡単に且つセキュアに入手できるようにもなる。
【００１４】
上記第２のデータ提供方法によれば、上記第１の方法と同様な効果が得られ、また、グローバルＩＤ、ユーザＩＤおよび関連データをユーザプロファイルとしてデータベース管理することができる。
【００１５】
上記第３のデータ提供方法によれば、上記第１の方法と同様な効果が得られ、また、たとえば複数の媒体側ＩＤリーダ（２）が配置され、それぞれに対して異なる関連データを提供する必要がある場合に、携帯デバイス（３）のグローバルＩＤを読み取った媒体側ＩＤリーダ（２）、つまりユーザが使用した媒体側ＩＤリーダ（２）に予め設定されているリーダＩＤをユーザＩＤとともにデータ提供サーバ（７）へ送信することで、データ提供サーバ（７）では適切な関連データをデータ提供代行サーバ（６）に返信して提供できるようになる。
【００１６】
上記第５のデータ提供システムによれば、上記第１の方法と同様な効果が得られる。
【００１７】
上記第６のデータ提供サーバによれば、上記第１の方法および上記第５のシステムと同様な効果が得られる。
【発明を実施するための最良の形態】
【００１８】
以下、図１を適宜参酌しながら、この出願の発明の一実施形態について詳細に説明する。  
【００１９】
＜ステップＳ１０１＞
まず、ユーザが携帯する携帯デバイス（３）は、デバイス固有のグローバルＩＤを予め記憶したものとし、磁気カードやＩＣカード、ＲＦ−ＩＤタグ、携帯電話、ＰＤＡなどの持ち運び可能な小型デバイスを考慮できる。
【００２０】
広告媒体（１）に付加される媒体側ＩＤリーダ（２）は、各種携帯デバイス（３）のグローバルＩＤを読み取り可能なものとし、たとえば携帯デバイス（３）が磁気カードの場合では磁気リーダ、ＩＣカードの場合ではＩＣリーダ、ＲＦ−ＩＤタグの場合ではＲＦ−ＩＤリーダ、携帯電話やＰＤＡの場合ではそれらとの間で無線通信や光通信等が可能な通信機器などを考慮できる。なお、広告媒体（１）への付加態様は、たとえば広告媒体（１）が紙媒体の場合では紙の表側や裏側に貼り付ける、大型ディスプレイ媒体の場合ではディスプレイ表面やディスプレイ枠体に設置するなどを考慮できるが、携帯デバイス（３）のグローバルＩＤを読み取ることが可能であれば、特に限定されるものではない。
【００２１】
これらの携帯デバイス（３）および媒体側ＩＤリーダ（２）を用い、ユーザが、携帯デバイス（３）を媒体側ＩＤリーダ（２）に近づけるもしくは接触させる、あるいはその通信機能による通信を開始させるなどすることで、媒体側ＩＤリーダ（２）によって携帯デバイス（３）のグローバルＩＤが読み取られる。
【００２２】
＜ステップＳ１０２＞
この読み取られたグローバルＩＤは、データ提供代行者が管理運営するデータ提供代行サーバ（６）に与えられ、データ提供代行サーバ（６）によってグローバルＩＤに対応したユーザＩＤが、広告主等のデータ提供者が管理運営するデータ提供サーバ（７）へネットワークを介して送信される。
【００２３】
データ提供代行サーバ（６）と媒体側ＩＤリーダ（２）とは、たとえばネットワークを介してあるいは単にケーブル接続によってグローバルＩＤの送受が可能とされており、グローバルＩＤは媒体側ＩＤリーダ（２）によって読み取られると同時にデータ提供代行サーバ（６）へ送信される。ネットワーク送信の場合では、媒体側ＩＤリーダ（２）は、たとえば、上記ＩＤ読取機能の他にＩＤ送信機能も有し、ＩＤ読取りと同時にネットワーク送信可能なものとする。
【００２４】
データ提供代行サーバ（６）は、媒体側ＩＤリーダ（２）から送られてきたグローバルＩＤに対応するユーザＩＤをデータ提供サーバ（７）へ送信するのであるが、より具体的には、たとえばグローバルＩＤ毎にユーザＩＤを予め蓄積したユーザプロファイルデータベース（８）を構築しておき、このユーザプロファイルデータベース（８）からグローバルＩＤを検索し、検索されればそのエントリに登録されているユーザＩＤをデータ提供サーバ（７）へ送信する。検索されなければ新たにユーザＩＤを作成して登録するとともにそれをデータ提供サーバ（７）へ送信する。
【００２５】
このユーザＩＤとは、データ提供代行サーバ（６）がグローバルＩＤの代行ＩＤとして作成するいわば仮想的なＩＤデータであり、実際の個人情報であるグローバルＩＤの代わりに外部へ送ってデータのやりとりを行うためのものである。すなわち、グローバルＩＤは秘匿とされて外部のデータ提供者には知らされないため、データ提供者は、ユーザＩＤが送信されてきた際に、それが実際の如何なるユーザに属するものなのか分からないまま、次のステップＳ１０３で詳述するように提供データを実際のユーザではなくデータ提供代行者へ送ることになる。
【００２６】
ここで、一人のユーザが複数の媒体側ＩＤリーダ（２）を利用した場合、つまり複数の媒体側ＩＤリーダ（２）によって同一の携帯デバイス（３）のグローバルＩＤが読み取られた場合では、各読取り毎に異なるユーザＩＤを作成して使用するようにしてもよい（ユーザプロファイルデータベース（８）に蓄積）。これにより、一つのグローバルＩＤであっても様々なユーザＩＤがデータ提供サーバ（７）へ送信されることとなるため、よりセキュリティを高めることができる。
【００２７】
また、複数の媒体側ＩＤリーダ（２）毎に異なる関連データを提供する必要がある場合では、使用された媒体側ＩＤリーダ（２）に従って適切な関連データが返信されなければならない（次述のステップＳ１０３）。このために、たとえば、媒体側ＩＤリーダ（２）固有のリーダＩＤを予め設定しておき、グローバルＩＤを読み取った媒体側ＩＤリーダ（２）のリーダＩＤをユーザＩＤとともにデータ提供サーバ（７）へ送信するようにする。この場合、たとえば、媒体側ＩＤリーダ（２）は、自己のリーダＩＤを記憶しておき、グローバルＩＤを読み取って送信する際にそのリーダＩＤも一緒に送信可能なものとしておく。これによれば、たとえば図１の例において、大型ディスプレイの広告媒体（１）に付加された複数の媒体側ＩＤリーダ（２）のうちの一つが使用された際にはその媒体側ＩＤリーダ（２）に設定されている適切な関連データ（たとえば一番左は北海道旅行データとなる）がデータ提供サーバ（７）から返信されてくることになる。
【００２８】
＜ステップＳ１０３＞
上記のとおりにユーザＩＤが送信されると、それを受信したデータ提供サーバ（７）では、そのユーザＩＤとともに関連データをデータ提供代行サーバ（６）へネットワークを介して返信する。
【００２９】
媒体側ＩＤリーダ（２）毎に提供すべき関連データが異なる場合では、上記のようにデータ提供代行サーバ（６）からは使用された媒体側ＩＤリーダ（２）のリーダＩＤも送信されてくるので、このリーダＩＤに対応した適切な関連データを返信することができる。
【００３０】
もちろん、上記のとおり、データ提供者には実際に如何なるユーザのユーザＩＤなのか、如何なるユーザが媒体側ＩＤリーダ（２）を使用したのかは一切分かららないため、個人情報はデータ提供代行者の管理の元にその流出が防止されていることになる。
【００３１】
＜ステップＳ１０４＞
関連データがユーザＩＤとともに返信されてくると、それらを受信したデータ提供代行サーバ（６）では、ユーザＩＤに対応するグローバルＩＤ毎に関連データを記憶する。
【００３２】
返信されてきたユーザＩＤがどのグローバルＩＤに対応したものなのかはユーザプロファイルデータベース（８）から検索できるので、後は検索されたグローバルＩＤのエントリに関連データを記憶させればよい。これにより、関連データは一旦データ提供代行サーバ（６）にて管理されることになる。
【００３３】
＜ステップＳ１０５＞
続いて、ユーザは、自分のユーザ側ＩＤリーダ（４）により携帯デバイス（３）のグローバルＩＤを再び読み取らせる。
【００３４】
ここでのユーザ側ＩＤリーダ（４）としても、上記媒体側ＩＤリーダ（２）と同様に、携帯デバイス（３）に対応した磁気リーダやＩＣリーダ等を考慮できる。
【００３５】
＜ステップＳ１０６＞
読み取られたグローバルＩＤは、ユーザが使用する情報端末（５）に与えられ、情報端末（５）からネットワークを介してデータ提供代行サーバ（６）に送信される。
【００３６】
＜ステップＳ１０７＞
そして、このグローバルＩＤを受信したデータ提供代行サーバ（６）では、グローバルＩＤに対応した関連データをユーザプロファイルデータベース（８）から読み出して情報端末（５）へネットワークを介して返信する。
【００３７】
このとき、たとえば、情報端末（５）への返信は、情報端末（５）のネットワーク（インターネット）上の所在地を表わすＩＰアドレス等の宛先情報に基づいて行われる。また、予めユーザの電子メールアドレスをグローバルＩＤ毎にユーザプロファイルデータベース（８）に登録させておき、関連データを電子メールに添付した形で送信するようにしてもよい。ＩＰアドレスは、情報端末（５）からデータ提供代行サーバ（６）へグローバルＩＤを送信する際にデータ提供代行サーバ（６）により自動的に入手して登録でき、電子メールアドレスは、グローバルＩＤを送信する際に情報端末（５）にて別途入力し送信したり、媒体側ＩＤリーダ（２）でグローバルＩＤを読み取らせる際に別途設置されたキーボード等の入力装置によりその場で入力したりすればよい。電子メールアドレスについてはさらに、たとえば、グローバルＩＤがデータ提供代行サーバ（６）に送られた際に対応する電子メールアドレスの登録の有無が判別され、登録されていなければ電子メールアドレス入力プログラムを情報端末（５）や媒体側ＩＤリーダ（２）に送信し、新しい電子メールアドレスを入力させ、それを受け取ってユーザプロファイルデータベース（８）に登録する。
【００３８】
後は、情報端末（５）で受信した関連データを、その種類・内容によってたとえばコンテンツや電子メールであれば画面表示したり、サービスプログラムであればプログラム実行したりすればよい。
【００３９】
情報端末（５）としては、ネットワーク接続してデータ提供代行サーバ（６）との間でデータ送受可能なコンピュータ、携帯電話、ＰＤＡや、双方向デジタルテレビ等の情報家電を考慮できる。また、グローバルＩＤ送信および関連データ受信が可能ないわば専用のセットボックスのようなものとして、それを家電製品に接続あるいは付加することで情報家電を構成するといった態様も可能である。たとえば表示機能等をも備えたセットボックス型の情報端末（５）を冷蔵庫に取り付けることでその冷蔵庫自体を情報家電としたり、デジタルアナログ変換機能等をも備えたセットボックス型の情報端末（５）をアナログテレビに取り付けてそのアナログテレビ自体をコンテンツデータをテレビ表示する情報家電としたりすることができる。またこのセットボックスにはユーザ側ＩＤリーダ（４）をも組み込んで一体化したものとしてもよい。
【００４０】
図４は、これら様々な情報端末（５）をその使用例とともに概念的に示したもので、ユーザ側ＩＤリーダ（４）を内蔵したセットボックス型の情報端末（５）を具備した冷蔵庫や、それ自体が情報端末（５）として機能する双方向デジタルテレビやコンピュータ（ユーザ側ＩＤリーダ（４）は図示なし）などを例示している。外出先で目にした広告媒体（１）に付加された媒体側ＩＤリーダ（２）にて携帯デバイス（３）のグローバルＩＤを読み取らせ、帰宅後それら冷蔵庫等にてグローバルＩＤを読み取らせるだけで、様々な関連データを取得できるのである。
【００４１】
またもちろん、ユーザ側ＩＤリーダ（４）および情報端末（５）は携帯可能な装置とすることも可能で、たとえばＰＤＡにカードリーダやＲＦ−ＩＤタグリーダを内蔵させて一体型携帯装置としてもよく、この場合にはそれを携帯デバイス（３）とともに携帯していれば、携帯デバイス（３）のグローバルＩＤを媒体側ＩＤリーダ（２）に読み取らせた際に、その場でユーザ側ＩＤリーダ（４）にもグローバルＩＤを読み取らせて、その場でデータ提供代行サーバ（６）から関連データを簡単に且つセキュアに入手できる。
【００４２】
以上により、ユーザは、自己の携帯デバイス（３）のグローバルＩＤを媒体側ＩＤリーダ（２）およびユーザ側ＩＤリーダ（４）に読み取らせるだけの作業で関連データを簡単に入手できる。しかも、ユーザは数々のデータ提供者と直接やりとりする必要がなく、唯一データ提供代行者とグローバルＩＤのやりとりがあるだけなので、個人情報の大量流出も防止されることになる。
【００４３】
なお、仮に一人のユーザが複数の携帯デバイス（３）を有してそれらを使用した場合では、一人のユーザに複数のグローバルＩＤが割り当てられてしまう。そこで、情報端末（５）の上記宛先情報を基に、同一の宛先情報が割り当てられたグローバルＩＤについてはユーザプロファイルデータベース（８）上のエントリを同一のものに収斂するようにしてもよい。これにより、データ提供代行サーバ（６）でのＩＤ管理負担を軽減できる。
【００４４】
＜ステップＳ２０１〜Ｓ２０４＞
ところで、データ提供者は、上述のとおりにデータ提供代行者を通して関連データをユーザに提供することになるのだが、上述ではデータ提供代行者からユーザＩＤが送られてきたときに関連データを返信する場合のものであり、後日さらに関連データをユーザに送りたいと考える場合が生じ得る。
【００４５】
そこで、たとえば、最初にデータ提供代行サーバ（６）から送られたユーザＩＤをデータ提供サーバ（７）により記憶させておき（ステップＳ２０１）、後日そのユーザＩＤ宛に別途の関連データ送信要求をユーザＩＤおよび関連データとともにデータ提供サーバ（７）からデータ提供代行サーバ（６）へ送信する（ステップＳ２０３）。データ提供代行サーバ（６）では、ＩＰアドレスや電子メールアドレス等の情報端末（５）のネットワーク上の宛先情報をグローバルＩＤ毎にたとえばユーザプロファイルデータ（８）に記憶させておき（ステップＳ２０２）、データ提供代行サーバ（６）からの送信要求を受信すると、送られてきたユーザＩＤに対応するグローバルＩＤをユーザプロファイルデータ（８）から検索し、さらにそのグローバルＩＤに対応する情報端末（５）の上記宛先情報を読み出して、その宛先情報に基づいてネットワークを介して情報端末（５）へ関連データを送信するようにする。
【００４６】
これによれば、データ提供者は更なるコンテンツデータやサービスプログラムデータあるいは電子メール等の関連データを後日ユーザに提供することができ、この際にもデータ提供者とのやりとりはユーザＩＤのみに基づいて行われるため、宛先情報を含む実際の個人情報はデータ提供者には一切流出せず、ユーザは安心して関連データを取得できるようになる。
【００４７】
なお、この関連データの後日提供については、たとえば、データ提供サーバ（７）からの送信要求がある度に逐次勝手にデータ提供代行サーバ（６）から送られてくるのではなく、ユーザがユーザ側ＩＤリーダ（４）にて携帯デバイス（３）のグローバルＩＤを読み取らせ、情報端末（５）からそのグローバルＩＤを送信したときにだけ、データ提供代行サーバ（６）から送るようにしてもよく、または送信頻度をある程度制限（たとえば一日一送信、一日一通など）するようにしてもよい。かかる場合では、関連データはデータ提供代行サーバ（６）によりユーザプロファイルデータベース（８）に蓄積され、グローバルＩＤの送信時に読み出されて送信される、あるいは送信制限内だけ送信される。
【００４８】
また、関連データとしての電子メールの送信要求があった場合であって、まだユーザの電子メールアドレスがデータ提供代行サーバ（６）（ユーザプロファイルデータベース（８）に登録されていない場合には、メールアドレスの登録があるまで電子メールをユーザプロファイルデータベース（８）に蓄積しておく必要があり、登録時に送信するようにする。
【００４９】
＜データベース＞
以上のデータ提供において、たとえば、ユーザプロファイルデータベース（８）については、グローバルＩＤまたはユーザＩＤあるいはその両方を検索キーに設定したハッシュテーブル化しておくことが好ましく、これにより、グローバルＩＤに対応するユーザＩＤや宛先情報、関連データの検索、ユーザＩＤに対応するグローバルＩＤや宛先情報、関連データの検索をより高速に可能ならしめることができる。
【００５０】
＜媒体側ＩＤリーダ＞
媒体側ＩＤリーダ（２）については、たとえば、上述したとおりに携帯デバイス（３）のグローバルＩＤの読取機能だけではなく、そのグローバルＩＤの送信機能、自己のリーダＩＤの記憶機能、そのリーダＩＤの送信機能、さらには電子メールアドレスの入力機能を有することが好ましいため、一般的なコンピュータと同等に機能する情報端末装置とも呼べるものであってもよい。この場合、データ提供代行サーバ（６）とネットワークを介してＩＤ送受を行うのであれば、そのＩＰアドレスをリーダＩＤとして使用できる。
【００５１】
また、たとえば図３に例示したように、媒体側ＩＤリーダ（２）はグローバルＩＤの読取機能のみを有するものとしておき、これとは別個に媒体側ＩＤリーダ（２）とデータ提供代行サーバ（７）とのやりとりを仲介するコンピュータ等の情報端末装置（９）を設けるようにしもてよい。この情報端末装置（９）によってグローバルＩＤをデータ提供代行サーバ（７）へネットワークを介して送信したり、リーダＩＤを記憶しておき必要時にデータ提供代行サーバ（７）へネットワークを介して送信したり、また必要時に電子メールアドレスを入力してデータ提供代行サーバ（７）へネットワークを介して送信したりする。これによれば、媒体側ＩＤリーダ（２）自体を余計な機能を付加せずに小型なものとし、広告媒体（２）への付加態様を良好なものとすることができる。
【００５２】
＜データ提供代行サーバの管理機能＞
上述したとおりデータ提供はデータ提供代行者のデータ提供代行サーバ（６）によって管理されることになるので、この管理機能をより向上させ、たとえば、どのデータ提供サーバ（７）にどのユーザＩＤが送信されたかを記録しておき、この記録データを基に、知り得ないはずのユーザＩＤを送信してきたデータ提供サーバ（７）を特定し、そのデータ提供サーバ（７）からの関連データについてはユーザへの送信を拒絶するようにしたり、そのユーザＩＤの漏洩経路を判定させたりできる。
【００５３】
また、仮にユーザＩＤがデータ提供サーバ（７）から第三者に漏洩し、その第三者からデータ送信要求が送られてくるといった事態を生じさせないために、データ送信要求時にはデータ提供サーバ（７）を特定する情報を一緒に送らせるようにしてもよい。これにより、上記記録データを基にサーバ特定情報の有無を調べて、記録のないサーバからの要求は的確に拒絶できる。
【００５４】
もちろん、この出願の発明は以上の実施形態に限定されるものではなく、細部については様々な態様が可能である。
【産業上の利用可能性】
【００５５】
以上詳しく説明した通り、この出願の発明によって、広告媒体によって表示されている情報に関連する各種関連データをユーザに簡単に且つセキュアに提供することのできるデータ提供方法ならびにデータ提供システムおよびデータ提供代行サーバが提供される。
【図面の簡単な説明】
【００５６】
【図１】この出願の発明を説明するためのフローチャートである。
【図２】この出願の発明を説明するための別のフローチャートである。
【図３】この出願の発明を説明するためのシステム構成の一部を示した図である。
【図４】各種情報端末をその使用例とともに例示した概念図である。
【符号の説明】
【００５７】
１  広告媒体
２  媒体側ＩＤリーダ
３  携帯デバイス
４  ユーザ側ＩＤリーダ
５  情報端末
６  データ提供代行サーバ
７  データ提供サーバ
８  ユーザプロファイルデータベース
９  情報端末装置
【図１】
2005114938.tif 000003
【図２】
2005114938.tif 000004
【図３】
2005114938.tif 000005
【図４】
2005114938.tif 000006